(57)【要約】【課題】  全体として変形し難く、装飾部のデザインの自由度を保ったまま、装飾部の結合の作業性が良い指輪を提供すること。【解決手段】  周の一部を開口させた開口部５を有するリング状の鍛造成形体６と、その両端が上記鍛造成形体６の端部に結合される鋳造成形体７とからなり、上記鋳造成形体７は、上記鍛造成形体６の開口端６ａ，６ｂに連続する連続部８と装飾部とが一体的に形成され、上記鍛造成形体６と上記連続部８とが相まって、リング本体９が構成される。【選択図】  図１
2018134196.tif 000002
【特許請求の範囲】
【請求項１】
周の一部を開口させた開口部を有するリング状の鍛造成形体と、
その両端が上記鍛造成形体の端部に結合される鋳造成形体とからなり、
上記鋳造成形体は、
上記鍛造成形体の開口端に連続する連続部と装飾部とが一体的に形成され、
上記鍛造成形体と上記連続部とが相まって、リング本体が構成されることを特徴とする指輪。
【請求項２】
上記開口部の端面と、各端面に結合される上記連続部の端面が、同一形状同一面積である請求項１に記載の指輪。
【請求項３】
上記リング本体の内周が円である請求項１又は２に記載の指輪。
【請求項４】
上記連続部と鍛造成形体との結合部と、上記リング本体の内周に沿った円の中心とを結んだ線分で形成された上記鍛造成形体側の角度が１８０°以下である請求項１〜３のいずれか１に記載の指輪。
【発明の詳細な説明】
【技術分野】
【０００１】
この発明は、リング本体に装飾部を備えた指輪に関する。
【背景技術】
【０００２】
従来から、大きな宝石を保持したり、デザインが繊細だったりする指輪は、加工のしやすさから鋳造で製造されることが多かった。
ところが、全体を鋳造で形成された指輪は強度が低いため、装着時に手を握ったり重い荷物を持ったりしたときなどに、隣接する指側や手の平側から受ける圧力によってリング本体が変形しやすくなっている。リング本体が変形してしまえば、見た目の印象も変わってしまい、初期のデザイン効果が得られないだけでなく、リング本体に設けられた宝石を保持した石枠なども変形して、宝石が外れてしまうようなことも起こる。
【０００３】
そのため、鋳造で形成した石枠などを備えた装飾部を、鍛造で形成したリング本体に固定することが考えられる。
例えば、図４，５に示す指輪は、鍛造で形成されたリング本体１に鋳造で形成された装飾部２を溶接したものである。
装飾部２は、大、小の宝石３ａ，３ｂ，３ｃを保持するための複数の石枠２ａ，２ｂ，２ｃを花のように配置したものである。具体的には、最も大きい宝石３ａを保持する石枠２ａを中心に設け、その周囲を中くらいの宝石３ｂを保持する複数の石枠２ｂで囲み、さらにその外側にリング本体１に沿って小さい宝石３ｃを保持する石枠２ｃが設けられている。これらの石枠２ａ，２ｂ，２ｃからなる装飾部２は、鋳造によって形成されている。
【０００４】
そして、鋳造で形成された上記装飾部２を、鍛造で形成されたリング本体１の外周に溶接して、図５の指輪が形成される。
なお、図５は、装飾部２に宝石３がはめ込まれる前の状態を示している。実際には、装飾部２をリング本体１に溶接してから、各石枠２ａ，２ｂ，２ｃに宝石３ａ，３ｂ，３ｃを嵌め込んで図４の指輪を完成させている。
【先行技術文献】
【特許文献】
【０００５】
【特許文献１】特開２０１５−０９３０４１号公報
【特許文献２】実開平０６−０３８６２７号公報
【発明の概要】
【発明が解決しようとする課題】
【０００６】
上記した従来の指輪では、鋳造で形成された装飾部２をリング本体１に取り付ける際に、上記石枠２ａの底部４ａと、それを囲んだ複数の石枠２ｂの底部４ｂ，４ｂと、更に、両脇の石枠２ｃ，２ｃの底部４ｃ，４ｃなど、多数の個所を溶接しなければならない。このように、図４，５に示す従来の指輪では、溶接個所が多数あるため、装飾部２の結合作業に手間と時間がかかっていた。
そして、通常、指輪における溶接部分は小さいため、装飾部２をリング本体１に強固に結合し、装飾部２のデザインに影響を与えないように溶接する作業は難しいものである。このような溶接個所が多くなればなるほど、リング本体１と装飾部２との結合の作業性が悪くなってしまうという問題があった。
【０００７】
また、１つの溶接部分の面積が大きい場合には、全面積を溶接する作業に手間がかかってしまうという問題もあった。
そして、上記のような溶接個所の数や、その面積は装飾部のデザインによって変わるもので、その結合作業の難しさもデザインに応じて変化する。
一方、上記のように、溶接作業が難しいからといって、溶接しやすさを最優先にしたのでは、デザインの自由度が低くなってしまうだけでなく、装身具としての指輪の機能を発揮できないものになってしまう可能性もある。
この発明の目的は、全体として変形し難く、装飾部のデザインの自由度を保ったまま、装飾部の結合の作業性が良い指輪を提供することである。
【課題を解決するための手段】
【０００８】
第１の発明は、周の一部を開口させた開口部を有するリング状の鍛造成形体と、その両端が上記鍛造成形体の端部に結合される鋳造成形体とからなる。
そして、上記鋳造成形体は、上記鍛造成形体の開口端に連続する連続部と装飾部とが一体的に形成され、上記鍛造成形体と上記連続部とが相まって、リング本体が構成されることを特徴とする。
【０００９】
第２の発明は、上記開口部の端面と、各端面に結合される上記連続部の端面が、同一形状同一面積であることを特徴とする。
【００１０】
第３の発明は、上記リング本体の内周が円であることを特徴とする。
なお、上記円には、指の断面形状に合わせた長円など、僅かに真円からずれたものも含まれるものとする。
【００１１】
第４の発明は、上記連続部と鍛造成形体との結合部と、上記リング本体の内周に沿った円の中心とを結んだ線分で形成された上記鋳造成形体側の角度が１８０°以下であることを特徴とする。
【発明の効果】
【００１２】
第１の発明によれば、装飾部と連続部とが一体成形で鋳造成形体を構成しているため、鋳造成形体の端部を鍛造成形体の開口端に結合するだけで、リング本体と装飾部とが結合される。すなわち、装飾部のデザインにかかわりなく、結合個所は２個所だけとなり、従来と比べて結合作業の作業性が向上し、しかも、デザインの自由度を保つことができる。
さらに、リング本体は鍛造成形体を備えているため、鋳造だけで形成されたリング本体と比べて変形し難い。したがって、指輪が変形して初期のデザイン効果が得られなくなったり、石枠が変形して、宝石が外れてしまったりすることもない。
【００１３】
第２の発明によれば、鍛造成形体と鋳造成形体との結合部が、段差なく滑らかに連続してリング本体が形成されるため、指輪の装着中に作用する外力を、特定の個所に集中させることなく、リング本体全体に分散させることができる。したがって、鋳造成形体を備えたリング本体が変形し難くなる。
【００１４】
第３の発明によれば、リング本体が円形になって外力をより均等に分散しやすくできる。そのため、リング本体が更に変形し難くなる。
【００１５】
第４の発明によれば、リング本体において鋳造成形体で形成された部分が、リング本体全体の半分以下になる。そのため、装飾部を手の甲側に向けて指輪を嵌めたとき、隣接する指側からの圧力や手の平側からの圧力を、強度が高い鍛造成形体で受けることができる。鍛造成形体は、鋳造成形体と比べて強度が高くて変形し難いので、リング本体は変形し難くその形状を維持することができる。
【図面の簡単な説明】
【００１６】
【図１】この発明の第１実施形態の鍛造成形体と鋳造成形体との結合前の状態を示した平面図である。
【図２】第１実施形態の鍛造成形体に鋳造成形体を結合した指輪の平面図である。
【図３】第２実施形態の平面図である。
【図４】従来の指輪の正面図である。
【図５】従来の指輪の平面図である。
【発明を実施するための形態】
【００１７】
図１，２に示すこの発明の第１実施形態は、開口部５を有するリング状の鍛造成形体６と、鋳造成形体７の２つの部材を結合して構成される。
鍛造成形体６は、周の一部を開口させた鍛造製の部材で、開口部５はこの鍛造成形体６に沿った円における中心角αが約９０°の扇形に対応する部分である。そして、鍛造成形体６の端面６ａ，６ｂが、上記開口部５の両端に対応する。そして、図中の点Ｏは、上記鍛造成形体６に沿った円の中心である。
【００１８】
一方、上記鋳造成形体７は、鋳造製で、装飾部２と連続部８とが一体成形された部材である。
上記装飾部２は、宝石を保持する石枠２ａ，２ｂ，２ｃを備えた部分で、図５に示す従来の装飾部２と同じ形状である。
また、上記連続部８は、鍛造成形体６に連続する部分で、端面８ａ，８ｂを上記鍛造成形体６の端面６ａ，６ｂと同一形状、同一面積にしている。そして、この連続部８の端面８ａ，８ｂを上記鍛造成形体６の端面６ａ，６ｂに合わせて結合すれば、図２に示すように上記連続部８が鍛造成形体６に連続して、内周が円形のリング本体９が形成される。
【００１９】
上記したように、互いに結合される上記端面８ａと端面６ａ、端面８ｂと端面６ｂとは同一形状、同一面積なので、結合された連続部８と鍛造成形体６とを、境目なく滑らかに連続させることができる。
ただし、結合される面同士が、同一形状及び同一面積でなくても、その結合個所を溶接などで結合した後に滑らかになるように研磨すればよい。
そして、図２では、上記端面８ａ，８ｂ及び端面６ａ，６ｂを破線で示しているが、形成されたリング本体９において、上記端面同士を結合した個所が外観に現れることがないようにしている。
【００２０】
このように、上記鍛造成形体６と鋳造成形体７とが結合されたら、上記装飾部２の各石枠２ａ，２ｂ，２ｃに宝石３ａ，３ｂ，３ｃを嵌めこんで指輪を完成させる。この第１実施形態の指輪は、その外観は図４に示す従来のものと同じである。
ただし、この第１実施形態は、装飾部２をリング本体１に結合するために多数の個所を溶接などで結合しなければならない従来とは違って、連続部８の端面８ａ，８ｂと鍛造成形体６の開口端である端面６ａ，６ｂとを結合するだけで足りる。つまり、結合個所が２個所だけで、しかも、装飾部２がどんなデザインでも、その結合面が極端に小さかったり大きかったりしない。
したがって、第１実施形態の指輪では、装飾部２のデザインにかかわりなく、結合の作業性を向上させることができる。
【００２１】
また、指輪の装着時には、装飾部２が手の甲側に位置するため、鍛造成形体６及び連続部８で構成されたリング本体９に隣接する指から作用する圧力Ｆ１，Ｆ２や、手の平側から作用する圧力Ｆ３は、鍛造成形体６が受けることになる（図２参照）。
そのため、この第１実施形態の指輪は、リング本体９が変形し難く、変形によってデザイン効果が損なわれたり、リング本体９の変形に影響されて石枠２ａ，２ｂ，２ｃから宝石が外れてしまったりするようなことがない。
【００２２】
この第１実施形態では、上記開口部５の範囲、すなわち、上記連続部８と鍛造成形体６との結合部と、上記リング本体の内周に沿った円の中心Ｏとを結んだ線分で形成された上記鍛造成形体６側の角度αを約９０°としている。しかし、開口部５の大きさは、この第１実施形態に限定されない。装飾部２の形状や大きさなどによって設定すればよい。
なお、上記結合部とは、図２において破線で示した連続部８の端面８ａ，８ｂと、鍛造成形体６の端面６ａ，６ｂとの接合面である。
【００２３】
図３に示す第２実施形態は、第１実施形態の鍛造成形体６に比べて開口部が大きい鍛造成形体１０と、それに応じた鋳造成形体１１とを結合した指輪である。
上記鋳造成形体１１は、上記第１実施形態と同様の装飾部２と連続部１２とが一体成形された部材である。この連続部１２は、その両端面１２ａ，１２ｂが鍛造成形体１０の開口端部である端面１０ａ，１０ｂに結合され、上記鍛造成形体１０と相まってリング本体１３が構成される。
【００２４】
また、この第２実施形態では、上記連続部１２と鍛造成形体１０との結合部と、上記リング本体１３の内周に沿った円の中心Ｏとを結んだ線分で形成された上記鋳造成形体１１側の角度αを約１８０°とし、鍛造成形体１０が半円を構成している。
なお、上記結合部とは、図３において破線で示した連続部１２の端面１２ａ，１２ｂと、鍛造成形体１０の端面１０ａ，１０ｂとの接合面である。
【００２５】
この第２実施形態でも、連続部１２の端面１２ａ，１２ｂと、開口端となる鍛造成形体１０の端面１０ａ，１０ｂとを溶接などで結合して、鍛造成形体１０と連続部１２とからなる内周が円形のリング本体１３を形成することができる。このように、装飾部２のデザインにかかわりなく結合個所が２個所のみとなるため、従来と比べて結合の作業性が良いものとなる。
また、この第２実施形態は、鍛造成形体１０の開口に対応する中心の角度αが１８０°なので、装飾部２を手の甲側に位置させた装着状態で、隣接する指側からの圧力Ｆ１，Ｆ２や手の平側からの圧力Ｆ３を、鍛造成形体１０で受けることができる。つまり、強度が低い鋳造で形成された連続部１２に、上記圧力Ｆ１，Ｆ２，Ｆ３が直接作用しないため、リング本体１３は変形し難い。
【００２６】
上記のように、上記第１，２実施形態では、リング本体９，１３が、鍛造成形体６，１０と鋳造製の連続部８，１２とで構成されるため、その強度は鍛造のみで形成されたリング本体よりは低くなるが、鋳造のみのリング本体と比べると強度は高く、変形し難くなる。
そして、上記実施形態のように、鍛造成形体６，１０の開口部に対応する上記角度αが１８０°以下であれば、指輪の装着状態で隣接する指側から作用する圧力Ｆ１，Ｆ２や手のひら側から作用する圧力Ｆ３を、鍛造成形体６，１０で受けることができる。そのため、鋳造で形成された連続部８，１２を備えていても、リング本体９，１３が大きく変形することはない。
【００２７】
ただし、図３に示す第２実施形態では、鋳造で形成された連続部１２の円周方向の長さを、装飾部２の円周方向の寸法よりも長くしているので、手の甲側に装飾部２を位置させて装着した指輪が、上記連続部１２の範囲で回転して、上記隣接する指側からの圧力Ｆ１，Ｆ２が連続部１２に作用してしまう可能性がある。
その場合には、これらの圧力Ｆ１，Ｆ２を鍛造成形体１０のみで受ける場合と比べて、リング本体１３が変形しやすくなることが考えられるが、それでも鋳造のみで形成されたリング本体よりは変形し難い。
【００２８】
また、上記のように、装飾部２よりも長い連続部１２を設ける場合には、その範囲に相当する上記角度αを１８０°よりも小さく、例えば１２０°以下にすることが好ましい。上記角度αが１２０°以下であれば、装着した指輪が多少回転しても、隣接する指側からの圧力Ｆ１，Ｆ２を鍛造成形体で受けることができ、リング本体の変形を防止できる。
【００２９】
さらに、上記第１実施形態のように連続部の長さと装飾部の円周方向の長さとを一致させれば、鍛造成形体の開口部が大きかったとしても、装着した指輪が回転したときに、隣接する指側からの圧力Ｆ１，Ｆ２を鋳造で形成された連続部が受けるようなことがなくなる。
なぜなら、指輪を装着する際に、装飾部が隣接する指の間に挟まれるような付け方はしないため、装飾部の周方向の寸法と連続部の周方向の寸法とが等しければ、指輪を装着した指と隣接する指との間には必ず鍛造成形体が挟まれることになるからである。したがって、隣接する指側からの圧力Ｆ１，Ｆ２は鍛造成形体が受けることになる。そして、手の平側からの圧力Ｆ３は、当然、鍛造成形体で受けることができる。
【００３０】
反対に、装飾部の大きさにかかわりなく、連続部の長さを一定にすれば、鍛造成形体の開口部の寸法を一定にすることができ、装飾部のデザインにかかわりなく、鍛造成形体を量産できるメリットがある。
なお、上記第１，２実施形態は、多数の宝石を保持する石枠を備えた装飾部２を備えた指輪であるが、装飾部はどのようなものでもよく、石枠を備えていない金属だけのデザインでもよい。
また、鋳造成形体の装飾部に、後加工によって地金とは別の金属製の飾りを取り付けたり、表面を彫刻したりしてもかまわない。また、装飾部には石枠を形成せずに、後から小孔を形成して小さな宝石を埋め込んでもよい。
【００３１】
さらに、鍛造成形体と鋳造の連続部とによって構成されるリング本体の内周は、真円に限定されず、デザインや装着性を考慮して長円など、多少変形したものでもよい。ただし、リング本体の内周は、指に接触する部分なので滑らかな形状が好ましい。そして、円形ならば、外部から圧力が作用したときに、応力を均等に分散させやすいので、リング本体の変形をよりよく防止できる。
また、リング本体の外周側に、彫刻などで模様を付けたりしてもよい。
【００３２】
更にまた、鍛造成形体と鋳造成形体との結合方法は、溶接のほか、接着やカシメなど、両部材が結合されればどのような方法を用いてもよい。
いずれにしても、装飾部のデザインにかかわらず、結合個所が２個所のみになり、デザイン性の優れた指輪の生産性を上げることができる。
言い換えれば、生産性を低下させずに、デザインの自由度を上げることができる。
【産業上の利用可能性】
【００３３】
デザインの自由度を維持した変形し難い指輪の、生産性を向上できる。
【符号の説明】
【００３４】
２    装飾部
５    開口部
６    鍛造成形体
６ａ，６ｂ    （開口端に相当する）端面
７    鋳造成形体
８    連続部
８ａ，８ｂ    端面
９    リング本体
１０    鍛造成形体
１０ａ，１０ｂ    （開口端に相当する）端面
１１    鋳造成形体
１２    連続部
１２ａ，１２ｂ    端面
１３    リング本体
α    角度
【図１】
2018134196.tif 000003
【図２】
2018134196.tif 000004
【図３】
2018134196.tif 000005
【図４】
2018134196.tif 000006
【図５】
2018134196.tif 000007